(57)【要約】【課題】毛髪保持具の内側のシートと外側のシートとの間の歪みを解消することができ且つ容易に製造することができる毛髪保持具を提供すること。【解決手段】一端の開口部２１から他端の開口部２２に向けて毛髪束を挿通可能にシート２３Ａ、２３Ｂにより構成された扁平形状の筒状体２からなり、筒状体２の一方の面を形成するシート２３Ａは、テーバーこわさが０．４ｍＮ・ｍ以下であり、筒状体２の他方の面を形成するシート２３Ｂは、テーバーこわさが０．４ｍＮ・ｍ以上であり、一方の面を形成するシート２３Ａがその長手方向に弛んだ状態で他方の面を形成するシート２３Ｂに接合されている。【選択図】図１
2006129973.tif 000002
【特許請求の範囲】
【請求項１】
一端の開口部から他端の開口部に向けて毛髪束を挿通可能にシートにより構成された扁平形状の筒状体からなり、
前記筒状体の一方の面を形成する前記シートは、テーバーこわさが０．４ｍＮ・ｍ以下であり、前記筒状体の他方の面を形成する前記シートは、テーバーこわさが０．４ｍＮ・ｍ以上であり、該一方の面を形成するシートがその長手方向に弛んだ状態で該他方の面を形成するシートに接合されている毛髪保持具。
【請求項２】
前記一方の面を形成するシートの弛んだ状態の形状は、その長手方向に伸縮可能な蛇腹形状である請求項１記載の毛髪保持具。
【請求項３】
前記一方の面を形成するシートと前記他方の面を形成するシートとは、それらの長手方向に沿う両側縁部においてそれぞれ連続的に接合されている請求項１又は２に記載の毛髪保持具。
【発明の詳細な説明】
【技術分野】
【０００１】
本発明は、毛髪束を所定の形状に巻回するときに用いられる毛髪保持具に関する。
【背景技術】
【０００２】
パーマ等により毛髪にカールを付与する場合に、毛髪束を所定の形状に巻回するときに用いられる偏平筒状の毛髪保持具が提案されている。偏平筒状の毛髪保持具においては、毛髪保持具の内部に毛髪束を挿通して毛髪保持具を巻回すると、毛髪保持具の内側のシートと外側のシートとの間に歪みが生じ、その結果、毛髪束に綺麗なカールを付与できないという問題があった。
このような問題点を解決するために、本出願人により、毛髪保持具の内側のシートと外側のシートとの間の歪みを解消する毛髪保持具が開示されている（特許文献１，２）。
【０００３】
【特許文献１】特開２００３−３１９８１５号公報
【特許文献２】特開２００４−５７２５６号公報
【発明の開示】
【発明が解決しようとする課題】
【０００４】
しかし、特許文献１記載の毛髪保持具によれば、それを構成するシートの伸縮性やテーバーこわさを最適化することにより前記歪みを解消しており、また、特許文献２記載の毛髪保持具によれば、それを構成するシートに空隙部を直列に形成することにより前記歪みを解消している。このように、特許文献１，２に記載の毛髪保持具においては、必ずしも、その製造が容易ではなかった。
【０００５】
従って、本発明の目的は、毛髪保持具の内側のシートと外側のシートとの間の歪みを解消することができ且つ容易に製造することができる毛髪保持具を提供することにある。
【課題を解決するための手段】
【０００６】
本発明は、一端の開口部から他端の開口部に向けて毛髪束を挿通可能にシートにより構成された扁平形状の筒状体からなり、前記筒状体の一方の面を形成する前記シートは、テーバーこわさが０．４ｍＮ・ｍ以下であり、前記筒状体の他方の面を形成する前記シートは、テーバーこわさが０．４ｍＮ・ｍ以上であり、該一方の面を形成するシートがその長手方向に弛んだ状態で該他方の面を形成するシートに接合されている毛髪保持具を提供することにより、上記目的を達成したものである。
【発明の効果】
【０００７】
本発明の毛髪保持具によれば、毛髪保持具の内側のシートと外側のシートとの間の歪みを解消することができ且つ容易に製造することができる。
【発明を実施するための最良の形態】
【０００８】
以下、本発明の毛髪保持具を、その好ましい一実施形態について、図１を参照しながら説明する。
本実施形態の毛髪保持具１は、図１に示すように、一端の開口部２１から他端の開口部２２に向けて毛髪束Ｈ（図２参照）を挿通可能にシート２３Ａ、２３Ｂにより構成された扁平形状の筒状体２からなり、筒状体２の一方の面を形成するシート２３Ａは、テーバーこわさが０．４ｍＮ・ｍ以下であり、筒状体２の他方の面を形成するシート２３Ｂは、テーバーこわさが０．４ｍＮ・ｍ以上であり、一方の面を形成するシート２３Ａがその長手方向に弛んだ状態で他方の面を形成するシート２３Ｂに接合されている。
【０００９】
本実施形態の毛髪保持具１について更に詳述すると、本実施形態の毛髪保持具１は、図１に示すように、一端の開口部２１から他端の開口部２２に向けて毛髪束Ｈ（図２参照）を挿通可能にシート２３Ａ、２３Ｂにより構成された扁平形状の筒状体２からなる。筒状体２は、その一方の面を形成するシート（以下「一面シート」ともいう）２３Ａと、その他方の面を形成するシート（以下「他面シート」ともいう）２３Ｂとが、それらの長手方向に沿う両側縁部２４、２４においてそれぞれ連続的に接合されて形成されている。
筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１０】
一面シート２３Ａは、図１に示すように、その長手方向に弛んだ状態で他面シート２３Ｂに接合されている。本実施形態においては、一面シート２３Ａの弛んだ状態の形状は、その長手方向に伸縮可能な蛇腹形状である。詳述すると、この蛇腹形状は、図１（ｂ）に示すように、蛇腹部３が長手方向にずれるように繰り返し形成された形状である。蛇腹部３は、平滑な一面シート２３Ａを長手方向に１８０度山折りし、１８０度谷折りをして形成される。
一面シート２３Ａの長さは、蛇腹部３を形成する上で、他面シート２３Ｂの長さ（筒状体２を構成しない部分がある場合には、該部分を除いた長さ）の１０５％以上であることが好ましく、１１０％以上であることが更に好ましい。
【００１１】
筒状体２を構成する一面シート２３Ａ，他面シート２３Ｂとしては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、又はこれらの複合体等が挙げられる。本実施形態においては、毛髪処理剤を透過し得る不織布が用いられている。
【００１２】
一面シート２３Ａのテーバーこわさは、０．４ｍＮ・ｍ以下であり、好ましくは０．２ｍＮ・ｍ以下である。
他面シート２３Ｂのテーバーこわさは、０．４ｍＮ・ｍ以上であり、好ましくは１ｍＮ・ｍ以上である。
尚、前記「テーバーこわさ」は、ＪＩＳ  Ｐ８１２５に規定される「こわさ試験方法」により測定されるテーパーこわさである。
【００１３】
筒状体２の一端の開口部２１の端部近傍には、図１に示すように、他面シート２３Ｂから筒状体２の長手方向に延出した延設部４が設けられている。本実施形態においては、他面シート２３Ｂと延設部４とは一体形成されている。
【００１４】
延設部４における一面シート２３Ａとの反対側には、巻き留め部５が設けられている。巻き留め部５は、一面シート２３Ａに係合可能なもので、巻き上げ状態の筒状体２を巻き留め部５に係合させることにより筒状体２の巻き上げ状態を維持するものである。巻き留め部５としては、一面シート２３Ａに係合可能なものであれば種々のものを用いることができ、本実施形態においては、メカニカルファスナーのオス部材を用いている。
【００１５】
次に、本発明の毛髪保持具の前記実施形態の一使用態様として、パーマ処理により毛髪（頭髪）に直接カールを付与する場合について、図２を参照しながら説明する。
先ず、毛髪束Ｈの量や得ようとするカール形状に応じて、適当な長さ及び幅を有する筒状体２からなる毛髪保持具１を用い、図２（ａ）に示すように、筒状体２の一端の開口部２１を楕円形状に開口し、毛髪束Ｈを開口部２１の中へ挿入する。
【００１６】
毛髪束Ｈを筒状体２に挿通させた後、図２（ｂ）及び（ｃ）に示すように、筒状体２をその他端の開口部２２の側から、一面シート２３Ａを外側にして巻き上げる。筒状体２を巻き上げた後、図２（ｄ）に示すように、巻き留め部５と一面シート２３Ａとを係合させる。その結果、筒状体２が所定の巻径の巻き上げ状態で固定される。
【００１７】
その後、筒状体２の外側からパーマ用の毛髪処理剤を毛髪束Ｈに付与する。毛髪処理剤は、主として、一面シート２３Ａ及び他面シート２３Ｂを透過して、毛髪束Ｈに付与される。所定時間後、筒状体２から毛髪束Ｈを挿脱し、洗髪等して、パーマ処理を完了する。
尚、筒状体２の開口部２１から毛髪束Ｈを挿入させる際に、必要に応じ、該開口部２１を真円状に開口した方が、毛髪束Ｈをスムーズに挿入させ易い。毛髪束Ｈをフック可能なフック部が設けられた毛髪挿入具を用いると、毛髪束Ｈを筒状体２に容易に挿通できる。毛髪束Ｈの先端を筒状体２の他端の開口部２２からはみ出させてもよい。
【００１８】
本実施形態の毛髪保持具１によれば、一面シート２３Ａ及び他面シート２３Ｂが所定範囲のテーバーこわさを有し、一面シート２３Ａがその長手方向に弛んだ状態で他面シート２３Ｂに接合されているため、一面シート２３Ａを外側にして筒状体２を巻き上げた際に、弛んだ状態の一面シート２３Ａが伸び、内側の他面シート２３Ｂと外側の一面シート２３Ａとの間の歪みを解消することができる。そのため、本実施形態の毛髪保持具１によれば、毛髪束Ｈに綺麗なカールを付与することができ、しかも、一面シート２３Ａを弛んだ状態で他面シート２３Ｂに接合することで筒状体２を形成できるため、その製造が容易である。
【００１９】
本発明の毛髪保持具は、前記実施形態に制限されることなく、本発明の趣旨を逸脱しない限り、適宜変更が可能である。
筒状体は、一方の面を形成するシートがその長手方向に弛んだ状態で他方の面を形成するシートに接合されて形成されていれば、一方の面を形成するシートの弛んだ状態の形状は、前記実施形態のような蛇腹形状に制限されない。蛇腹部等の弛み部分の形状、大きさ、個数等は適宜設定することができる。
【００２０】
前記実施形態においては、一方の面を形成するシートと他方の面を形成するシートとがそれらの長手方向に沿う両側縁部においてそれぞれ連続的に接合されているが、本発明においては、両シートの両側縁部を不連続的に接合することができる。例えば、両シートの両側縁部を、蛇腹部等の弛み部分において不連続で、その他の部分において連続的に接合することができ、また、両シートの両側縁部を点状のシールで接合することもできる。
【００２１】
筒状体は、その形成方法について特に制限はなく、シートを縫合、融着又は接着して形成したものでもよい。
尚、本発明の毛髪保持具における「筒状体」を構成するシート材の形状及びその表面状態は、上述の形態の筒状体を形成可能なものであれば良く、「扁平形状」という場合、シート材の表面は、凹凸面であってもよい。
【００２２】
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。
【図面の簡単な説明】
【００２３】
【図１】図１は、本発明の毛髪保持具の一実施形態を示す図で、（ａ）は正面図、（ｂ）は（ａ）に示すＢ−Ｂ断面図である。
【図２】図２（ａ）〜（ｄ）は、図１に示す毛髪保持具を用いて毛髪束にカールを付与する手順を順次示す斜視図である。
【符号の説明】
【００２４】
１  毛髪保持具
２  筒状体
２１、２２  開口部
２３Ａ，２３Ｂ  シート
２４  側縁部
３  蛇腹部
４  延設部
５  巻き留め部
Ｈ  毛髪束
【図１】
2006129973.tif 000003
【図２】
2006129973.tif 000004